(57)【要約】【課題】可変絞りの動作範囲を縮小することのできる撮像装置、及びそれを用いた内視鏡装置を提供すること。【解決手段】本発明の撮像装置である内視鏡装置１は、光学系（３６、４３）を備え、被写体の画像を取得するための撮像手段（４４）と、  前記光学系の明るさを調整する可変絞り機（３５）と、被写体からの反射光の光量に基づいて明るさ情報を算出する光量算出手段（４５、８３）と、記被写体までの物体距離情報を算出する物体距離算出手段（８８ａ）と、明るさ情報と物体距離情報に基づき決定された被写体深度とに基づいて、可変絞り機構（３５）を制御する制御手段（８８）とを有している。【選択図】図５
2010162166.tif 000002
【特許請求の範囲】
【請求項１】
光学系を備え、被写体の画像を取得するための撮像手段と、
前記光学系の明るさを調整する可変絞りと、
前記被写体からの反射光の光量に基づいて明るさ情報を算出する光量算出手段と、
前記被写体までの物体距離情報を算出する物体距離算出手段と、
前記明るさ情報と、前記物体距離情報に基づき決定された被写体深度とに基づいて、前記可変絞りを制御する制御手段と、
を具備したことを特徴とする撮像装置。
【請求項２】
前記可変絞りは、虹彩絞りであることを特徴とする請求項１に記載の撮像装置。
【請求項３】
前記物体距離算出手段は、前記撮像手段で取得した画像を用いて、三角測量の原理で計算するものであることを特徴とする請求項１又は請求項２に記載の撮像装置。
【請求項４】
前記被写体に照明光を出射するための照明手段をさらに備え、前記前記明るさ情報と前記物体距離情報とに基づいて、前記照明光の出射光量を制御することを特徴とする請求項１乃至請求項３のいずれか１項に記載の撮像装置。
【請求項５】
前記撮像装置は、内視鏡装置であることを特徴とする請求項１乃至請求項４のいずれか１項に記載の撮像装置。
【発明の詳細な説明】
【技術分野】
【０００１】
本発明は、撮像装置に関する。
【背景技術】
【０００２】
撮像装置の中の一つである内視鏡は、医療分野及び工業用分野において広く利用されている。
【０００３】
例えば、特許文献１には、被写体までの距離の変動に伴い合焦位置を調整できるフォーカス機能と、光学系の明るさを調整できる可変絞りとを有する内視鏡光学系において、被写体までの物体距離の変動に伴うフォーカスレンズ若しくは撮像ユニットの変動量を検出するフォーカス位置検出手段と、該検出手段により検出された値に基づいてその時の被写界深度の最遠点の明るさが常に一定となるように明るさ絞りを調整する駆動手段とが開示されている。
【特許文献１】特開平０６−３４２１２２号公報
【発明の開示】
【発明が解決しようとする課題】
【０００４】
しかしながら、このような内視鏡で、測距範囲を撮像面全域とした場合、計測したい箇所と、焦点とが一致しないおそれがあった。それゆえ、計測したい箇所の画質が低下するおそれがあった。
【０００５】
そこで、本発明は上記問題点に鑑みてなされたもので、被写体の画像を従来よりも高精細なものとすることができる撮像装置、及びそれを用いた内視鏡装置を提供することを目的とする。
【課題を解決するための手段】
【０００６】
本発明の実施態様にかかる撮像装置は、光学系を備え、被写体の画像を取得するための撮像手段と、前記光学系の明るさを調整する可変絞りと、前記被写体からの反射光の光量に基づいて明るさ情報を算出する光量算出手段と、前記被写体までの物体距離情報を算出する物体距離算出手段と、前記明るさ情報と、前記物体距離情報に基づき決定された被写体深度とに基づいて、前記可変絞りを制御する制御手段と、を具備するものである。  
また、他の実施態様は、上記撮像装置を内視鏡として用いるものである。
【発明の効果】
【０００７】
本実施態様にかかる撮像装置、及びそれを用いた内視鏡装置は、被写体の画像を従来よりも高精細なものとすることができる。
【発明を実施するための最良の形態】
【０００８】
以下、図面を参照して本実施態様にかかる撮像装置の実施形態を説明する。  
尚、以下、撮像装置の一つである内視鏡装置、特に工業用の内視鏡装置を例に挙げて説明する。  
図１に示すように、内視鏡装置１の一例は、内視鏡２と、この内視鏡２に接続された装置本体３とを具備するものである。
【０００９】
内視鏡２は、細長で可撓性を有する挿入部１３と、この挿入部１３の挿入方向基端側に接続された操作部１５と、この操作部１５から延出された可撓性を有する接続ケーブルであるユニバーサルコード１６と、挿入部１３の先端部１７に着脱自在なステレオ光学アダプタ２０とにより主要部が構成されている。
【００１０】
尚、図示はしないがユニバーサルコード１６の延出端にはコネクタボックスが接続されており、ユニバーサルコード１６及びコネクタボックスにより、内視鏡２と装置本体３とは接続されている。
【００１１】
装置本体３は、例えば箱状を有しており、装置本体３の外装筐体４に、内視鏡２の撮像ユニット４４（図４及び図５参照）により撮像された内視鏡画像を表示する画像表示面５を有するモニタ６が固定されている。
【００１２】
詳しくは、モニタ６は、画像表示面５を有するモニタ面６ａの裏面６ｂが、装置本体３の外装筐体４の図１中背面側に装着された図示しないコネクタボックスに対して開閉自在となるよう、蝶番等を介して装置本体３の外表面に固定されている。
【００１３】
モニタ６は、内視鏡装置１が未使用の際は、モニタ６の裏面６ｂが、コネクタボックスを覆う閉位置に閉成され、内視鏡装置１が使用される際は、裏面６ｂが、コネクタボックスに対して離間してコネクタボックスを露出させる開位置に開成される。
【００１４】
モニタ６のモニタ面６ａに、内視鏡装置１が未使用の際、画像表示面５を覆って保護するカバー板７が固定されている。カバー板７は、画像表示面５に対向するカバー板７の対向面７ａが、画像表示面５に対して開閉自在となるよう、モニタ面６ａに固定されている。
【００１５】
また、カバー板７は、内視鏡装置１が未使用の際は、カバー板７の対向面７ａが、画像表示面５に対して当接して画像表示面５を覆う閉位置に閉成され、内視鏡装置１が使用される際は、対向面７ａが、画像表示面５に対して離間する開位置に開成される。
【００１６】
箱状の装置本体３の外装筐体４の角部に、装置本体３を戴置するための例えばＮＢＲ等のゴムにより形成された、複数の脚部８が固定されている。脚部８は、装置本体３を、地表等に対し、複数の姿勢により載置できるように設けられたものである。
【００１７】
装置本体３の外装筐体４の図１中背面側の図示しないコネクタボックス収容室に、前記コネクタボックスが、着脱コネクタ１２により装着されている。このコネクタボックスの内部には、光源の駆動を行う基板や、内視鏡２の撮像ユニット４４（図４及び図５参照）から出力された被検体の画像信号を処理する画像処理用の基板等の電気部品が設けられている。
【００１８】
また、装置本体３の外装筐体４により覆われた内部には、コネクタボックス以外の電気部品や、画像処理用の基板により画像処理された画像データを記録する記録媒体や、内視鏡２及び装置本体３に電力を供給する図示しないバッテリ等が設けられている。
【００１９】
このバッテリは、例えば外装筐体４の側面に対し、蝶番９により開閉自在に設けられたバッテリ用蓋体１０の開閉により、装置本体３内に設けられた図示しないバッテリ収容室に対し、挿抜自在に収容される構成となっている。また、バッテリがバッテリ収容室に挿入され収容された後、バッテリ用蓋体１０は、固定ピン１１によりロックされる。尚、その他の装置本体３内の内容物の配置構造は、周知の構成であるため、その説明は省略する。
【００２０】
以下、本実施形態にかかる内視鏡装置について図１乃至６を参照し、詳細に説明する。  
本実施形態にかかる撮像手段は、被写体の反射光を結像するための光学系と、該光学系により光学像を撮像する撮像素子とを具備するものであり、上述した内視鏡２の先端側に設けられるものである。  
尚、光学系の配置位置は、内視鏡２に限定されるものではなく、図１に示すように、後述するステレオ光学アダプタ２０に光学系を配置しても良い。
【００２１】
即ち、内視鏡２の挿入部１３は、最先端位置に配置され、被検部位を撮像するＣＣＤ等の撮像素子４５を有する撮像ユニット４４（図４及び図５参照）等で構成された観察用の観察光学系等が組み込まれた先端部１７と、この先端部１７に連設され、遠隔的に湾曲操作可能な湾曲部１８と、この湾曲部１８の挿入方向基端側に連設される細長い可撓管部１９と、先端部１７に対して着脱可能なステレオ光学アダプタ２０とを有して構成されている。尚、図１はステレオ光学アダプタ２０が先端部１７に装着された状態を示している。
【００２２】
挿入部１３の内部には、ステレオ光学アダプタ２０の照明部に電力を供給するための接続ケーブルや、先端部１７内の撮像ユニット４４のＣＣＤ等の撮像素子４５に接続された電気ケーブルと、湾曲部１８を湾曲操作する湾曲操作ワイヤ等が配設されている。  
また、挿入部１３の可撓管部１９の基端部には、連結部１４の先端部が連結されている。そして、この連結部１４の基端側は、操作部１５に接続されている。
【００２３】
図２はステレオ光学アダプタ２０が先端部１７から外された状態を示している。  
図２に示すように、ステレオ光学アダプタ２０が装着される先端部１７は、先端部本体１７Ｂと、この先端部本体１７Ｂの挿入方向基端側に連接されるカバー部１７Ａと、このカバー部１７Ａの挿入方向側に設けられステレオ光学アダプタ２０が嵌合して装着される接続部５０Ａで螺合して装着され、主要部が構成されている。
【００２４】
先端部１７の先端面には、後述するが、図２に示すように観察光学系用の観察窓を構成するカバーガラス３１と、ステレオ光学アダプタ２０内の照明部を構成するＬＥＤ２１に電力を供給したり、ステレオ光学アダプタ２０の種類の判別のための接続ケーブルが電気的に接続される電気接点部３２とが配設されている。カバーガラス３１は、先端部本体１７Ｂに固定されたカバーガラス枠３０に水密に装着されている。
【００２５】
一方、ステレオ光学アダプタ２０は、例えば直視用に構成されたもので、アダプタ本体２０Ｂ（図６参照）と、このアダプタ本体２０Ｂに装着されるアダプタカバー２３と、このアダプタカバー２３の挿入方向基端側に連接され、先端部１７に嵌合して装着する接続リング２４とを有して主要部が構成されている。
【００２６】
アダプタカバー２３の先端面には、観察光学系用の観察窓である光学レンズ２２と、この光学レンズ２２の出射側に併設され、２つの対物レンズ２５Ｒ、２５Ｌで構成されるステレオレンズ部２５と、このステレオレンズ部２５の近傍に複数配設され、被倹部位を照明するための照明光学系（照明手段）を構成するＬＥＤ２１とが配設されている。
【００２７】
尚、ステレオ光学アダプタ２０の照明手段は、ＬＥＤ２１に限定されるものではなく、周知のライトガイドを用いて照明段手段を構成しても良い。また、ステレオ光学アダプタ２０は、直視用に限定されるものではなく、例えば斜視用として構成しても良い。
【００２８】
また、図３はステレオ光学アダプタ２０を背面側（先端部１７が嵌入される側）から見た図である。図３に示すように、前記接続リング２４には、先端部１７の先端部本体１７Ｂ及び接続部１７Ｃを嵌入して固定するための嵌合孔２４Ａが設けられている。
【００２９】
また、アダプタカバー２３の背面側には、ステレオ光学アダプタ２０の装着時に、先端部１７の電気接点部３２と接触して電気的に導通する電気接点部２１Ａが設けられている。この電気接点部２１Ａは、ステレオ光学アダプタ２０の複数のＬＥＤ２１、及びステレオ光学アダプタ２０の種類を判別するのに必要なアダプタ抵抗２１ａに夫々電気的に接続されている。  
尚、ステレオ光学アダプタ２０の種類を判別するための具体的な構成及び動作については、図１１に示すブロック図の構成及び図１４の制御動作の説明の際に述べる。
【００３０】
次に、本発明の主要部を有する先端部１７及びステレオ光学アダプタ２０の具体的な構成を、図４〜図６を用いて説明する。  
まず、先端部１７の構成を説明すると、図４及び図５に示すように、先端部本体１７Ｂを構成する先端カバー３３には、カバーガラス３１を固定したカバーガラス枠３０が固定されている。このカバーガラス３１は、光学部材である他に、ステレオ光学アダプタ２０の交換時に、先端部１７内に水及びほこり等が入らないように水密にしている。
【００３１】
このカバーガラス３１の装置本体３側には、ステレオ光学アダプタ２０の光学系の明るさを調整可能な可変絞り機構３５が配設されている。この可変絞り機構３５は、絞りカバー３４で押さえながら先端カバー３３に固定されている。尚、可変絞り機構３５の具体的な構成については後述する。
【００３２】
本実施形態にかかる物体距離算出手段は、内視鏡２、又はアダプタ２０と、被写体までの物体距離情報を算出するものである。  
内視鏡２に物体距離算出手段を設ける場合は、スレテオ光学系を内視鏡２に設ければ良い。また、光学アダプタ２０に物体距離算出手段を設ける場合は、ステレオ光学アダプタ２０とすればよいことは、言うまでもない。
【００３３】
ここで、このステレオ光学アダプタ２０の具体的な構成を図５及び図６を用いて説明する。
【００３４】
図５及び図６に示すように、ステレオ光学アダプタ２０のアダプタ本体２０Ｂには、アダプタカバー２３が取り付けられている。また、アダプタ本体２０Ｂの先端面には、観察窓を構成する光学レンズ２２が固定されている。
【００３５】
そして、アダプタ本体２０Ｂの光学レンズ２２の装置本体３側には、２つの対物レンズ２５Ｒ、２５Ｌを有するステレオレンズ部２５、光学レンズ２７、２８とが順に配設されてアダプタ本体２０Ｂに固定されている。さらに、このアダプタ本体２０Ｂの挿入方向基端側には固定枠２０Ｃが固定されており、この固定枠２０Ｃには、固定絞り２９、カバーガラス２０Ａとが順に配設されている。
【００３６】
固定絞り２９は、間隔環２９ａとカバーガラス２０Ａとに挟持され、このカバーガラス２０Ａの口元全周に接着して固定されている。尚、固定絞り２９の絞り径は、予め設定された所定の径を有して構成されている。
【００３７】
ステレオレンズ部２５の一対の対物レンズ２５Ｒ、２５Ｌは、被写体までの距離を三角測量を用いて測距するために、予め設定された距離間隔で配設して視差の異なる被写体光を取り込むことが可能である。この視差の異なる被写体光は、光学レンズ２７、２８、固定絞り２９、カバーガラス２０Ａを介して先端部１７内の光学系へと出射される。
【００３８】
また、図５に示すように、電気接点部２１Ａには、それぞれ導電部材２１Ｂが電気的に接続されおり、これら導電部材２１Ｂは、アダプタ本体２０Ｂ内に固定されている。  
この場合、一方の導電部材２１Ｂは、絶縁部材を挟んでアダプタ本体２０Ｂの先端面に配された複数のＬＥＤ２１に電気的に接続されている。また、他方の導電部材２１Ｂは、このステレオ光学アダプタ２０の種類の判別に用いられるアダプタ判別抵抗２１ａ（図２参照）に電気的に接続されている。
【００３９】
尚、これらの導電部材２１Ｂの内部には、図示しないがコイルバネがそれぞれ設けられている。そして、ステレオ光学アダプタ２０が装着された場合、導電部材２１Ｂのコイルバネで押されていた電気接点部２１Ａは、導通しながら凹むようになっている
また、ステレオ光学アダプタ２０の接続リング２４の嵌合孔２４Ａに、先端部１７を嵌入し、そして、アダプタ本体２０Ｂと先端部１７とが当接した際に、内周面に設けられたピン２０Ｃ（図３参照）が先端部１７の溝部１７Ｄに嵌合することにより、先端部１７に対して回転規制される。その後、接続リング２４のネジ部２４Ｂ（図３参照）が先端部１７のネジ部５０Ａ（図２参照）に螺合することで、ステレオ光学系アダプタ２０が先端部１７に着脱自在に装着される。
【００４０】
本実施形態にかかる可変絞りは、撮像素子に入射する光量を調整することで、上記光学系の明るさを調整するものである。また、可変絞りは、上述した内視鏡２の先端側に設けられるものである。
【００４１】
ここで、可変絞り機構３５の具体的な構成を説明すると、図９に示すように、可変絞り機構３５は、虹彩絞り本体３５Ａと、固定枠６０と、虹彩絞り本体３５Ａと固定枠６０とを連結する連結部材６６と、駆動機構部を構成するシャフト６１、摩擦部材（図示せず）、圧電素子部材６２及び重り６２Ｂとを有して構成されている。
【００４２】
可変絞り機構３５において、固定枠６０及び連結部材６６が虹彩絞り本体３５Ａに近接配置され、連結部材６６の係合ピン６６ｂが固定枠６０のガイド穴６４に嵌合し、連結部材６６の嵌合溝６６ａが虹彩絞り機構の虹彩絞り本体３５Ａの駆動ピン６５に嵌合し、虹彩絞り本体３５Ａと固定枠６０とは、連結部材６６を介してそれぞれ連結されている。
【００４３】
虹彩絞り本体３５Ａは、例えば、複数の絞り羽根３５Ｂの一端が固定リング３５ｂに軸支され、他端が回転リング６５Ａに軸支されており、この駆動ピン６５を介して回転リング６５Ａを回転することで、各絞り羽根３５Ｂの位置が変わり、絞り径が可変する構成となっている。  
尚、固定枠６０の嵌合孔６３は、レンズホルダ３９（図８参照）に隙間を保ちながら配置されている。この場合、虹彩絞り本体３５Ａの外周方向に突出する駆動ピン６５は、連結部材６６に設けられた嵌合溝６６ａに嵌合する。
【００４４】
また、連結部材６６の内周面側には、内周面方向に向けて突出する係合ピン６６ｂが設けられており、この係合ピン６６ｂは、固定枠６０の外周面に設けられたガイド穴６４に係合するようになっている。  
即ち、圧電素子部材６２の光軸方向に対する伸縮によって、固定枠６０が光軸方向に移動すると、この固定枠６０のガイド穴６４によってこのガイド穴６４と係合する係合ピン６６ｂを移動させる。この連結部材６６は、枠部材４２（図４参照）と先端部本体１７Ｂの図示しない部分で光軸方向に動かないように各側面６６ｃ、６６ｄが係止されている。  
従って、前記連結部材６６は、光軸回りに回転することになる。すると、この連結部材６６の回転に伴い、この連結部材６６の嵌合溝６６ａに嵌合する駆動ピン６５が回転する。これにより、各絞り羽根３５Ｂの角度が変わり、複数の羽根３５Ｂで構成された絞り径が可変することになる。
【００４５】
尚、可変絞り機構３５の構成は、虹彩絞りに限定されるものではなく、絞り径が自在に替えられるような構成であれば良い。例えば、液晶シャッタを用いて可変絞り機構３５を構成しても良い。また、可変絞り機構３５は、カバーガラス３１とレンズ駆動機構３６の結像レンズ３７との間に配置されていれば良い。
【００４６】
本実施形態にかかる光量算出手段は、被写体からの反射光に基づいて明るさ情報を算出するものである。また、光量算出手段は、ステレオ光学アダプタ２０、又は内視鏡２の先端部に設けられるものである。  
ここで、光量算出手段の具体的な構成を説明すると、従来周知の光電変換素子を用いることができる。
【００４７】
本実施形態にかかる制御手段は、明るさ情報と、物体距離情報に基づき決定された被写体深度とに基づいて、前記可変絞りを制御するものである。
【００４８】
図７乃至１１に示すように、制御手段の一例として、挿入部１３の先端部１７に設けられた可変絞り機構３５及びレンズ駆動機構３６を用いて説明する。  
先端部１７に設けられた可変絞り機構３５及びレンズ駆動機構３６は、後述する虹彩絞りの絞り径を可変するための駆動部機構及び、結像レンズ３７、３８が固定されるレンズホルダ３９を移動させるための駆動部機構を夫々有している。
【００４９】
本実施形態では、これら駆動部機構を構成するアクチュエータとして、例えば圧電素子部材５１、６２を用いて構成されている。  
これらの圧電素子部材５１、６２に固定される各シャフト４１、６１は、図４及び図７に示すように、光軸方向に対して平行に配置され、さらに、光軸方向に対して直角な面において、先端部１７の細径化に適したレイアウトとなるように配設されている（図８参照）。
【００５０】
また、図７に示すように、シャフト４１、６１の挿入方向基端側に固定される圧電素子部材５１、６２には、装置本体３から挿入部１３内を介して延設している接続線がそれぞれ電気的に接続されており、装置本体３の制御部８８（図１２参照）によって電気的に制御されるようになっている。  
尚、各圧電素子部材５１、６２の底面には、慣性力を確保するための重り５１Ｂ、６２Ｂが固定されている。また、各シャフト４１、６１と、これらの各シャフト４１、６１にそれぞれ嵌合する固定枠６０及びレンズホルダ３９との間には、後述するが摩擦部材４０が夫々設けられている。
【００５１】
ここで、本実施形態のアクチュエータの駆動原理を説明すると、アクチュエータとして用いられた圧電素子部材５１、６２は、徐々に電圧（駆動信号）を印加すれば、ゆっくりと伸び、急速に印加を停止すれば急速に縮むといった特性を有している。
【００５２】
例えば、駆動信号の電圧値が緩やかに変化していく立ち上がり部分（図１１のａ）では、圧電素子部材５１、６２はゆっくりと伸びる。このとき、各シャフト４１、６１と前記摩擦部材４０との摩擦力により固定枠６０及びレンズホルダ３９は各シャフト４１、６１と一体となって図７において先端部１７の先端側方向（Ｉ）へ動く。
【００５３】
そして、圧電素子部材５１、６２の伸びが終了した時点で各シャフト４１、６１の動きは停止するが、固定枠６０及びレンズホルダ３９は、慣性力により動き続ける。そして、その状態から駆動信号の電圧値を急峻に下げる（図１１のｂ）と、圧電素子部材５１、６２は急峻に縮む。その結果、各シャフト４１、６１は図７において先端部１７の手元側方向（ＩＩ）へ動く。
【００５４】
そして、先端部１７の先端側方向（Ｉ）へ移動中のレンズホルダ３９及び固定枠６０には、各シャフト４１、６１から先端部１７の手元側方向（ＩＩ）への摩擦反力を受けるが、前記反力は動摩擦抵抗力で弱く短時間しか作用しないため手元側方向（ＩＩ）へと移動方向を変更させるまでは及ばず、先端側（Ｉ）方向への運動エネルギーを失われていき、徐々に遅くなり停止する。
【００５５】
従って、このような駆動信号が圧電素子部材５１、６２に印加されると、固定枠６０レ及びンズホルダ３９は、駆動信号の１パルス毎に前記したような作用により図７において先端部１７の先端側方向へ動かされていく。  
尚、各圧電素子部材５１、６２に図１１のような鋸波状の駆動信号を連続的に印加することで固定枠６０及びレンズホルダ３９を所定の方向へ移動させることができる。  
また、前記説明とは逆に、前記圧電素子部材５１、６２を急速に伸ばし、或いはゆっくりと縮めるような駆動信号を印加すれば、前記固定枠６０及びレンズホルダ３９を逆方向に移動させることも可能である。
【００５６】
従って、このような各圧電素子部材５１、６２の特性を用いて、各シャフト４１、６１と前記固定枠６０及びレンズホルダ３９との間の摩擦部材４０による摩擦力と調整制御された電圧とで、前記可変絞り機構３５の絞り径の可変、及び後述するレンズ駆動機構３６の結像レンズ３７、３８の光軸方向への移動を行うためのアクチュエータとしての駆動力を得ている。
【００５７】
前記可変絞り機構３５から見て装置本体３側には、レンズ駆動機構３６が配設され、このレンズ駆動機構３６は、先端カバー３３に連接される先端部本体４２（図４参照）に固定されている。
【００５８】
レンズ駆動機構３６は、例えば２つの結像レンズ３７、３８と、これらの結像レンズ３７、３８が固定されるレンズホルダ３９と、このレンズホルダ３９を光軸方向に移動させるための駆動部機構（４０、４１、５１、５１Ｂ）とを有し構成されている。
【００５９】
このレンズ駆動機構３６は、後述する駆動部機構によってレンズホルダ３９と共に結像レンズ３７、３８を光軸方向に移動可能であり、この移動によって焦点距離と被写界深度を可変させることができるようになっている。
【００６０】
レンズ駆動機構３６から見て装置本体３側には、撮像ユニット４４が配設されている。この撮像ユニット４４は、先端側のレンズ保持枠４３Ａに保持固定された光学レンズ４３と、この光学レンズ４３よりも装置本体３側に配設されたＣＣＤ等の撮像素子４５と、この撮像素子４５に電気的に接続される接点４６、フレキシブル基板４７及び図示しない電気ケーブルと、これらの各部材をカバーするカバー４４ａを有して構成されている。
【００６１】
この撮像ユニット４４は、レンズ保持枠４３Ａを介して先端部本体４２に固定されている。尚、前記先端部本体４２には、ネジ螺合部４９が形成されており、このネジ螺合部４９に外枠部材５０が螺合される。  
また、先端カバー３３の図４中下側には、レンズ駆動機構３６の駆動機構を構成する、摩擦部材４０、シャフト４１、及びアクチュエータとしての圧電素子部材５１が配設されている。この圧電素子部材５１の基端部には、アクチュエータ駆動時の慣性力を得るための重り５１Ｂが固定されている。この重り５１Ｂの底面は、枠部材４２に接着固定されている。  
尚、前記シャフト４１は、例えばカーボンファイバーを用いて構成され、前記重り５１Ｂは、金属比重の大きな、例えばタングステンなどを用いて構成されている。  
このように構成される先端部１７には、図５及び図６に示すように光学アダプタ２０が着脱自在に装着される。
【００６２】
レンズ駆動機構３６の具体的な構成を説明すると、図１０に示すように、結像レンズ３７、３８を固定したレンズホルダ３９を、圧電素子部材５１を用いた駆動部機構によって、光軸方向に移動させることが可能である。
【００６３】
この駆動部機構は、シャフト４１と、このシャフト４１とレンズホルダ３９の嵌合孔３９Ａとの間に設けられた摩擦部材４０と、前記圧電素子部材５１と、この圧電素子部材５１の基端側に固定される重り５１Ｂ等を有して構成されている。
【００６４】
摩擦部材４０は、例えば密着コイルバネで構成されたもので、シャフト４１との間に生じる摩擦力を一体に保つ特性を有している。尚、この摩擦部材４０は、密着コイルバネに限定されるものではなく、例えば板バネを用いて構成しても良い。
【００６５】
従って、アクチュエータの駆動原理で説明したように、圧電素子部材５１をゆっくりと伸ばしたり、或いは急速に縮ませたりすることで、シャフト１と摩擦部材４０との摩擦により、レンズホルダ３９を光軸方向に対して移動させることが可能となる。
【００６６】
このような構成により、レンズ駆動機構３６は、レンズホルダ３９の光軸方向への移動によって、結像レンズ３７、３９を移動させることで、焦点距離と被写界深度を可変させることが可能である。  
尚、この駆動部機構の構成は、前記可変絞り機構３５についても同様であり、すなわち、可変絞り機構３５の駆動部機構は、レンズ駆動機構３６と同じように、シャフト６１と、このシャフト６１と固定枠６０の嵌合孔（図示せず）の間に設けられた摩擦部材４０と、圧電素子部材６２と、この圧電素子部材６２の基端側に固定される重り６２Ｂ等を有して構成されている。
【００６７】
次に、このような構成の内視鏡装置全体の電気的な構成を、図１２を用いて説明する。  
本実施形態の内視鏡２では、挿入部１３の先端部１７内に、可変絞り機構３５の虹彩絞り本体３５Ａの絞り径を検出する第１静電エンコーダ７０と、レンズ駆動機構３６の結像レンズ３７、３８の移動位置を検出する第２静電エンコーダ７１とが設けられている。
【００６８】
第１静電エンコーダ７０は、固定枠６０に貼着された移動子７０Ａと、枠部材４２に貼着された固定子７０Ｂとを有して構成され、固定子７０Ｂにより移動子７０Ａの移動分の静電気による電流変化を検出する。
【００６９】
また、第２静電エンコーダ７１は、レンズホルダ３９に貼着された移動子７１Ａと、枠部材４２に貼着された固定子７１Ｂとを有して構成され、固定子７１Ｂにより移動子７１Ａの移動分の静電気による電流変化を検出する。  
尚、前記移動子７０Ａ、７１Ａは、例えば、所定のパターンを配列して構成された基板であり、また、前記固定子７０Ｂ、７１Ｂについても同様に、例えば、所定のパターンを配列して構成された基板で構成されている。また、これらのパターン面は、向き合って配置されるようになっている。
【００７０】
これら第１エンコーダ７０及び第２エンコーダ７１は、夫々挿入部１３内に配される接続ケーブルを介して装置本体３内の制御部８８に電気的に接続され、夫々の検出結果を制御部８８に出力する。
【００７１】
そして、制御部８８は、夫々の検出結果である電流変化を演算処理することにより、光軸方向における固定枠６０及びレンズホルダ３９の夫々の移動量を既知の処理によって算出する。尚、制御部８８は、算出結果に基づく移動量と、可変絞り機構３５の絞り径の近点、中点、及び無限遠の状態との関係をテーブルとして有している。  
また、制御部８８は、算出結果に基づく移動量と、レンズ駆動機構３６の近点、中点、及び無限遠の状態との関係をテーブルとして有している。  
さらに、制御部８８は、撮像素子４５等の光量算出手段により算出した明るさ情報、及び後述する測量演算部８８ａ等の物体距離算出手段により算出した物体距離情報に基づく被写体深度と、可変絞り機構３５の絞り径との関係をテーブルとして有している。
【００７２】
尚、制御部８８は、前記可変絞り機構３５及びレンズ駆動機構３６の制御により近点、中点、又は無限遠に焦点を合わせた場合に、この焦点位置に応じたＬＥＤ２１の光量を制御するためのテーブルも設けても良い、この場合、制御部８８による、焦点位置に基づくＬＥＤ２１の光量の制御は、近点である場合には光量を下げるようにし、無限遠である場合には光量をあげるような制御であれば良い。
【００７３】
従って、制御部８８は、これらのテーブルを参照しながら、可変絞り機構３５及びレンズ駆動機構３６の駆動制御と、ＬＥＤ２１の光量制御とを行う。
【００７４】
また、ステレオ光学アダプタ２０の各電気接点部２５と電気的に接続される先端部１７の各電気接点部３２は、挿入部１３内に配される接続ケーブルを介して外装筐体４内のＬＥＤ駆動部８２及び検出部８０に電気的に接続されている。
【００７５】
この場合、ＬＥＤ２１にアダプタ判別抵抗２１ａを介して電気的に接続される電気接点部３２は、ＬＥＤ駆動部８２と電気的に接続されている。また、各電気接点部２５の電気的に接続される他方の電気接点部３２は、検出部８０に電気的に接続されている。
【００７６】
また、可変絞り機構３５及びレンズ駆動機構３６の各圧電素子部材５１、６２は、接続線を介してそれぞれ装置本体３内の圧電駆動ドライバ８５に電気的に接続されて、この圧電駆動ドライバ８５によって駆動が制御される。
【００７７】
一方、装置本体３は、図１２に示すように、検出部８０、ＲＯＭ８１ａ、ＲＡＭ８１ｂ、ＬＥＤ駆動部８２、カメラコントロールユニット（以下、ＣＣＵと称す）８３、画像処理部８４、圧電駆動ドライバ８５、音声処理部８６、及び測量演算部８８ａを備えた制御部８８とを有して構成されている。尚、前記測量演算部８８ａは物体距離算出手段を構成し、制御部８８は制御手段を構成している。
【００７８】
また、前記したように装置本体３の外装筐体４には、モニタ６が設けられ、このモニタ６は画像処理部８４に電気的に接続されている。また、外装筐体４には、内視鏡装置１の電力供給源である電源部７２と、使用者の各種指示操作や入力操作等を行うためのユーザインターフェース７３と、音声等で使用状況や操作状況等の情報を告知するための音声再生部７４とが設けられている。
【００７９】
検出部８０は、制御部８８の指示により、定期的に電圧をかけて先端部の電位を検出する。  
具体的には、制御部８８は、駆動時に検出部８０を介してアダプタ判別抵抗２１ａに所定の電圧を所定間隔（例えば２秒間隔）で印加し、電圧降下の有無で光学アダプタ２０の装着・非装着を検出する。また、制御部８８は、電圧降下量とＲＯＭ８１ａに記憶された設定値との比較を行ってステレオ光学アダプタ２０の種別を認識し、前記テーブルを用いてこの判別したステレオ光学アダプタ２０に応じた電圧を求め、ＬＥＤ駆動部８２によりこの電圧の駆動信号を印加するように制御する。
【００８０】
ＲＯＭ８１ａは、例えステレオ光学アダプタ２０の種類の判別に用いられる複数の抵抗値、レンズ駆動機構３６におけるレンズ移動目標値、可変絞り機構３５における絞り径目標値（例えば絞り中間径値）、及び自動露出の目標値等の設定閾値を格納している。尚、これらの設定閾値は、必要に応じて適宜変更設定可能である。このＲＯＭ８１ａは、制御部８８によって設定値を読み出し、各ユニットの制御を行うのに用いられる。
【００８１】
ＲＡＭ８１ｂは、制御部８８による制御によって、例えば、図１３（Ａ），図１３（Ｃ）に示すように、モニタ６の表示画面上に測距点Ｓ１を有する照準Ｓを重畳表示する画像処理等を行う際の作業領域に用いられている。勿論、この画像処理等に限らず、ソフト的なプログラムを実行する際に用いても良い。
【００８２】
ＬＥＤ駆動部８２は、制御部８８の制御により、ＬＥＤ２１を点灯又は消灯、或いは光量を調整するための駆動信号を生成してＬＥＤ２１に出力する。ＣＣＵ８３は、撮像ユニット４４の撮像素子４５の駆動を制御するもので、撮像素子４５により光電変換した信号を取り込み、画像処理部８４へと出力する。
【００８３】
画像処理部８４は、供給された信号に信号処理を施して映像信号を生成し、この映像信号をモニタ６に出力して表示させる。尚、この画像処理部８４は、制御部８８によって制御される。
【００８４】
また、圧電駆動ドライバ８５は、制御部８８の制御により、可変絞り機構３５及びレンズ駆動機構３６の各圧電素子部材４５、６２を駆動するための駆動信号を生成して、各圧電素子部材５１、６２に出力する。
【００８５】
音声処理部８６は、制御部８８による制御によって、音声等で使用状況や操作状況等を情報を告知するための必要な音声信号を生成し、音声再生部７４に出力することでこの音声信号が再生される。
【００８６】
尚、ユーザインターフェース７３は、操作部１５の操作部本体（例えば、ジョイスティック）１５Ａに設けられた各種スイッチで構成されたものであり、これ以外でも別の操作部を設けて構成しても良い。
【００８７】
制御部８８は、内視鏡装置１全体の各種動作を制御するものであって、特に、検出部８０の検出結果を用いた光学アダプタ識別判定制御、ＬＥＤ駆動部８２によるＬＥＤ照明制御、画像処理部８４による画像処理制御、ＣＣＵ８３及び画像処理部８４による三角測量制御、圧電駆動ドライバ８５による可変絞り機構制御及びレンズ駆動機構制御等を制御する。
【００８８】
この場合、光学アダプタの識別判定制御からＬＥＤ照明制御については、制御部８８は、光学アダプタ２０が装着されると、前記したように検出部８０からの検出結果、つまり、電圧降下量に基づいて光学アダプタ２０の種類を判別し、この種類に対応する電圧値を決めてＬＥＤ駆動部８２を駆動させる。
【００８９】
すると、ＬＥＤ駆動部８２は、制御部８８の制御により決められた電圧の駆動信号を供給することで、ＬＥＤ２１を点灯させる。これにより、ステレオ光学アダプタ２０の種類に応じたＬＥＤの照明制御が実施される。
【００９０】
ここで、本実施の形態では、可変絞り機構３５及びレンズ駆動機構３６の駆動制御を行う場合、制御部８８は、無限遠観察を行う際には、可変絞り機構３５の絞り径が最大径となるように圧電駆動ドライバ８５を制御する。
【００９１】
この場合、本実施形態では、光学アダプタ２０の固定絞り２９は、可変絞り機構３５（虹彩絞り本体３５Ａ）の最小径である絞り径よりも大きくなるように設定されている。  
この場合、光学アダプタ２０の外径が太くならないように、各々の光学アダプタ２０で光りが蹴られない範囲で最大絞り径を決定すれば良い。  
このため、無限遠観察時には、光学アダプタ２０の固定絞り２９の絞りが作用することになる。  
このときの、絞りの関係は、固定絞り２９の絞り径  ≦  可変絞り機構３５の最大絞り径という関係を有している。
【００９２】
また、同時に制御部８８は、レンズ駆動機構３６の結像レンズ３７、３８が可変絞り機構３５から離間する方向（挿入軸方向基端側方向）の所定位置に移動するように圧電駆動ドライバ８５を制御する。
【００９３】
一方、近点観察を行う場合には、制御部８８は、可変絞り機構３５の絞り径が最小径となるように圧電駆動ドライバ８５を制御する。  
この場合、光学アダプタ２０の固定絞り２９が、可変絞り機構３５（虹彩絞り本体３５Ａ）の最小径である絞り径よりも大きくなるように設定されているので、近点観察時には、先端部１７の可変絞り機構３５の絞りが作用することになる。  
このときの、絞りの関係は、固定絞り２９の絞り径  ＞  可変絞り機構３５の最小絞り径という関係を有している。
【００９４】
また、同時に制御部８８は、レンズ駆動機構３６の結像レンズ３７、３８が可変絞り機構３５に近接する方向（挿入軸方向）の所定位置に移動するように圧電駆動ドライバ８５を制御する。
【００９５】
従って、本実施の形態では、光学アダプタ式で近点から無限遠までの観察を実現するにあたり、このように制御部８８によって、光学系の絞り位置がステレオ光学アダプタ２０と先端部１７との間で切り替わるように制御すると同時に、レンズ駆動機構３６の結像レンズ３７、３８のレンズ位置を変えて焦点距離と被写界深度を可変制御するように構成したことで、平行光となり、細径で且つ近点と無限遠のＡＤ交換を必要としない光学アダプタ式の内視鏡２を実現することが可能となり、さらには、明るさ、深度調整が可能な光学アダプタ式の内視鏡の実現が可能である。
【００９６】
具体的には、図１３（Ｂ）、図１３（Ｃ）に示すように、制御部８８は、ＣＣＵ８３及び画像処理部８４を制御して、入力映像信号の基づく観察画面上に測距点Ｓ１を表す照準Ｓを表示させる。尚、この照準Ｓは、複数の測距点Ｓ１を設けても良い。
【００９７】
そして、この照準Ｓ上の測距点Ｓ１を、作業者が操作部１５又はユーザインターフェース７３を用いて指定すると同時に、この照準Ｓを被写体１００の観察対象箇所Ａに合わせるように指示操作を行う。
【００９８】
すると、制御部８８は、測量演算処理部８８ａによって、観察画像データ及び指示操作データ等を用いて照準Ｓ及び観察対象箇所Ａの三角測量のための演算処理を行う。即ち、この測量演算処理部８８ａによる三角測量に基づく演算処理によって、ステレオ光学アダプタ２０と照準Ｓ及び観察対象箇所Ａとの物体距離が求められる。  
このように、測量演算処理部８８ａによって物体距離を簡単に算出することができる。
【００９９】
そして、制御部８８は、この求めた物体距離に基づく被写体深度と、ＣＣＤ４５等の光量算出手段により算出した明るさ情報とに基づいて、この被写体が充分に解像できるような被写体深度となるように、可変絞り機構３５及びレンズ駆動機構３６の駆動制御を行うと同時に、この焦点距離に応じた最適な光量が得られるように、ＬＥＤ駆動部を制御してＬＥＤ２１の照明制御を行う。
【０１００】
本実施形態によれば、明るさ情報と、物体距離情報に基づき決定された被写体深度とに基づいて、可変絞りを制御することから、被写体深度の範囲を計測対象に最低限必要な量とすることができるだけでなく、従来よりも積極的に撮像素子に光を取り込むことで明るさを得ることから、従来よりもさらに高精細な画像を得ることができる。
【０１０１】
また、本実施形態によれば、測距して、観察したい距離を識別し、その近傍も解像可能となるような、従来よりも大きい絞り径を決定することができ、従来よりも積極的に撮像素子に光を取り込むことにより、従来よりも高精細な画像を得ることができる。それゆえ、上記高精細な画像に基づき、クラック等の大きさを計測することにより、従来よりも高精度な測定ができる。その結果、計測誤差が生じにくく、短時間で誤差を抑制した測定が可能となる。
【０１０２】
次に、本実施形態の制御部８８による制御例について図１４を用いて説明する。  
いま、図１２に示す内視鏡装置１は、図示しない電源スイッチのオン操作によって、電源部７２からの電力が供給されて、電源投入状態であるものとする。  
すると、制御部８８は、図示しないメモリから図１４に示すプログラムを読み出して起動させる。  
尚、予め、使用者が、ステレオ光学アダプタ２０を先端部１７に装着したものとすると、制御部８８は、検出部８０による検出結果と、ＲＯＭ８１ａから読み出した抵抗値とで比較行って、装着されたステレオ光学アダプタ２０の種類を識別する。この場合、制御部８８は、識別したステレオ光学アダプタ２０に対応する設定閾値をＲＯＭ８１ａから読み出しておく。
【０１０３】
制御部８８は、図１４に示すプログラムを起動すると、ステップＳ１の処理で、まず、撮像素子４５等の光量算出手段により照準Ｓ（図１３参照）内の明るさ情報を算出（検出）する。  
この場合、制御部８８は、ＣＣＵ８３を制御することで、撮像素子（ＣＣＤ）４５により光電変換した信号を取り込み、この電気信号を元に、明るさ情報を検出する。  
尚、このステップ１による明るさ情報の検出処理は、撮像素子４５等の光学センサに限定されるものではなく、他の手段を用いて明るさ情報を検出しても良い。また、明るさ情報を検出する照準Ｓは、この照準Ｓ内に限定されるものではなく、例えばこの照準Ｓを任意に、縮小又は、拡大するように調整しても良い。
【０１０４】
そして、制御部８８は、続くステップ２の処理にて、照準Ｓ内の物体距離を前記物体距離算出手段を用いて算出を行う。  
この場合、例えば、制御部８８は、図１３に示すように、ＣＣＵ８３及び画像処理部８４を制御して観察画面上に測距点Ｓ１を表す照準Ｓを表示させる。
【０１０５】
すると、制御部８８は、測量演算処理部８８ａによって、観察画像データ及び指示操作データ等を用いて照準Ｓ及び観察対象箇所Ａの三角測量のための演算処理を行うことによって、被写体１００の観察対象箇所Ａの測距を行う。即ち、観察画像データは、光学系の視差、つまり、ステレオレンズ部２５の視差に基づく観察画像データである。
【０１０６】
そして、制御部８８は、観察対象箇所Ａの物体距離を算出すると、この物体距離に基づき、被写体深度を算出する。  
尚、このステップＳの処理は、図１３に示す被写体１００の観察対象箇所Ｂに指示操作が行われた場合でも同様の処理が行われることになる。  
また、前記演算処理部８８ａによる三角測量の演算処理は、周知の技術を用いている。また、本実施形態では、物体距離を算出する方法として三角測量の演算処理を用いたが、これに限定されるものではなく、その他の方法を用いて物体距離を算出しても良い。さらに、既存のオートフォーカス機能を用いて、自動的に照準Ｓを観察対象箇所Ａ等に合わせて、物体距離情報を算出し、被写体深度を算出するように構成しても良い。
【０１０７】
その後、制御部８８は、続くステップＳ３の処理に移行し、このステップＳ３の処理で、照準Ｓ内（観察対象箇所Ａ）が十分に観察できる被写体深度になるように絞りを可変する。  
すなわち、制御部８８は、撮像素子４５等の光量算出手段により算出した明るさ情報、及び測量演算部８８ａ等の物体距離算出手段により算出した物体距離情報に基づく被写体深度と、可変絞り機構３５の絞り径との関係を示すテーブルを用いて、ステップＳ１により算出した明るさ情報と、ステップＳ２により算出した被写体深度とに基づく、最適な可変絞り機構３５の絞り径を決定し、この決定した絞り径となるように可変絞り機構３５の絞り径を制御する。
【０１０８】
尚、この場合、予め、可変絞り機構３５の絞り径を中点となるように駆動しておき、その後に、明るさ情報と被写体深度とに基づく可変絞り機構３５の絞り径となるように、制御しても良い。  
また、ステップＳ２の処理では、制御部８８は、明るさ情報と被写体深度とに基づいてレンズ駆動機構３６の駆動制御を行うと同時に、この焦点距離に応じた最適な光量が得られるように、ＬＥＤ駆動部を制御してＬＥＤ２１の照明制御を行っても良い。
【０１０９】
従って、前記ステップＳ１〜３の処理では、明るさ情報と被写体深度とに基づいて、可変絞り機構３５を制御することから、可変絞り機構３５の虹彩絞り本体３５Ａの動作範囲を縮小することができるとともに、被写体深度に応じた十分な明るさを確保することが可能となる。
【０１１０】
その後、制御部８８は、ステップＳ４の処理で、撮像素子４５によって撮像信号を例えばインターレース１／６０秒で取り込むようにＣＣＵ８３を制御する。
【０１１１】
そして、制御部８８は、続くステップＳ５の判断処理により、ステップＳ１にて検出した明るさ情報と、ＲＯＭ８１ａからの自動露出（ＡＥ：Automatic Exposure）の目標値とを比較する。この場合、この目標値よりも高く、明るいと判断した場合には、ステップＳ７の処理にて、例えば電子シャッター等の手段を用いて明るさを絞って処理をステップＳ１１に移行し、逆に目標値よりも低く暗いと判断した場合には、ステップＳ６の処理にて映像信号のＡＧＣゲインを上げるように画像処理部８４を制御し、処理をステップＳ８の判断処理に移行する。
【０１１２】
ステップＳ８の判断処理では、制御部８８は、再度前記ステップＳ５の判断処理と同様の判断処理を行う。この場合、制御部８８は、調整後の明るさ情報が目標値に到達したと判断した場合には、処理をステップＳ１１に移行し、逆に調整後の明るさ情報が目標値に未到達であると判断した場合には、続くステップＳ９の処理にて、例えば電子シャッタ等の手段のシャッタースピードを落とすように制御した後、処理をステップＳ１０の判断処理に移行する。
【０１１３】
ステップＳ１０の判断処理では、制御部８８は、前記ステップＳ８の判断処理と同様の判断処理を行う。すなわち、制御部８８は、調整後の明るさ情報が目標値に到達したと判断した場合には、処理をステップＳ１１に移行し、逆に調整後の明るさ情報が目標値に未到達であると判断した場合には、処理をステップＳ９に戻して明るさを高くするように調整して目標値に到達させる。
【０１１４】
そして、制御部８８は、ステップＳ１１の処理により画像処理部８４で映像信号を生成するように制御した後、さらに、ステップＳ１２の処理にて、生成した映像信号に歪み補正処理を施し、さらに、続くステップＳ１３の処理にて、この映像信号に色補正処理を施した後、処理後の映像信号をモニタ６に出力するように画像処理部８４を制御する。このことにより、モニタ６には従来よりも高精細な被写体の内視鏡画像が表示される。
【０１１５】
従って、本実施形態によれば、前記したように、制御部８８は、明るさ情報と被写体深度とに基づいて、可変絞り機構３５を制御することから、可変絞り機構３５の虹彩絞り本体３５Ａの動作範囲を縮小することができる。
【０１１６】
また、可変絞り機構３５は、虹彩絞り本体３５Ａを用いて構成しているので、動作範囲を縮小することができることによって、絞り羽根３５Ｂ同士の摩耗や、回転リング６５Ａの摩耗を低減することができるため、従来よりも長期利用が可能な撮像装置を提供することが可能となる。
【０１１７】
また、物体距離情報に基づき決定された被写体深度に基づいて可変絞り機構３５が制御されるため、特に三角測量の原理で計算した場合であっても、無限遠の遠点物点を含む画像の明るさを好適なものにすることが可能となる。
【０１１８】
さらに、算出された物体距離情報に基づく焦点距離に応じた最適な光量が得られるように、ＬＥＤ駆動部を制御してＬＥＤ２１の照明制御を行うので、さらに、可変絞り機構３５の動作範囲を縮小することができる。
【０１１９】
さらに、また、被写体の画像が、内視鏡特有の歪み画像の場合であっても、被写体深度と明るさとが最適化していることから、被写体の画像を従来より高精度なものとすることができるといった効果も得る。
【０１２０】
尚、本実施形態では、レンズ駆動機構３６によって焦点距離を調整したが、結像レンズ３７、３８を固定した状態で撮像素子４５を光軸方向に移動させるように構成しても良い。  
また、内視鏡２の先端部１７に、ステレオレンズ部２５を有するステレオ光学アダプタ２０を設けた構成について説明したが、これに限定されることはなく、例えばステレオ光学アダプタ２０を設けずに、三角測距するための被写体光を取得可能なステレオレンズ部２５を先端部１７内に設けた、ステレオ光学アダプタ２０を有しない構成であっても良い。
【０１２１】
また、本実施形態においては、内視鏡装置１には、携帯性に優れたショルダ式の工業用の内視鏡装置を例に挙げて説明したが、これに限定されることはなく、挿入部を装置本体に巻回して収納する大型の工業用の内視鏡装置に適用しても良いことは勿論である。  
また、工業用の内視鏡装置に限定されず、医療用の内視鏡装置に適用しても良い。  
尚、光学アダプタ２０の照明部は、ＬＥＤ２１に限定されるものではなく、周知のライトガイドを用いて照明部を構成しても良い。
【０１２２】
本発明は、以上述べた実施形態に限定されるものではなく、発明の要旨を逸脱しない範囲で種々変形実施可能である。
【図面の簡単な説明】
【０１２３】
【図１】本発明の一実施形態の内視鏡装置を、装置本体からモニタを開成した状態で示す斜視図。
【図２】図１の内視鏡の挿入部先端部及びステレオ光学アダプタの概略構成を説明するための斜視図。
【図３】図２のステレオ光学アダプタの先端部装着側方向からみた場合の斜視図。
【図４】図２の挿入部の先端部の構成を説明するための断面図。
【図５】図２のステレオ光学アダプタ及び先端部を光軸線に対して垂直方向から切断した場合の分解組立斜視図。
【図６】図４の先端部にステレオ光学アダプタを装着した場合の構成を説明するための断面図。
【図７】図４の先端部に設けられた可変絞り機構とレンズ移動機構の概略構成を説明するための斜視図。
【図８】図７の先端部の正面図。
【図９】図７の可変絞り機構の概略構成を説明するための分解斜視図。
【図１０】図７のレンズ移動機構の概略構成を説明するための断面図。
【図１１】図４の先端部に設けられた可変絞り機構とレンズ駆動機構の圧電素子部材に印加する鋸波状の駆動信号を示した波形図。
【図１２】本実施形態の内視鏡装置全体の電気的な回路構成を示すブロック図。
【図１３】（Ａ）は、モニタの表示画面上に照準を表示した画面表示図であり、（Ｂ）は被写体の観察箇所を示す斜視構造図であり、（Ｃ）は照準と測距点を示す部分拡大図である。
【図１４】本実施形態の制御部による制御例を示すフローチャート。
【符号の説明】
【０１２４】
１…内視鏡装置、
２…内視鏡、
３…装置本体、
４…外装筐体、
６…モニタ、
１３…挿入部、
１４…連結部、
１５…操作部、
１５Ａ…操作部本体、
１６…ユニバーサルコード、
１７…先端部、
１８…湾曲部、
１９…可撓管部、
２０…ステレオ光学アダプタ、
２０Ａ…カバーガラス、
２０Ｄ…対物レンズ、
２１…ＬＥＤ、
２１Ａ…電気接点部、
２２…光学レンズ（観察窓）、
２５…ステレオレンズ部、
２５Ｒ、２５Ｌ…対物レンズ、
２９…固定絞り、
３０…カバーガラス枠、
３１…カバーガラス、
３２…電気接点部、
３６…レンズ駆動機構、
３７、３８…結像レンズ、
３９…固定枠、
４１…圧電素子部材、
４４…撮像ユニット、
４５…撮像素子、
６０…固定枠、
６１…圧電素子部材、
７０…第１静電エンコーダ、
７１…第２静電エンコーダ、
８０…検出部、
８１ａ…ＲＯＭ、
８２…ＬＥＤ駆動部、
８４…画像処理部、
８５…圧電駆動ドライバ、
８８…制御部、
８８ａ…測量演算部。
【図１】
2010162166.tif 000003
【図２】
2010162166.tif 000004
【図３】
2010162166.tif 000005
【図４】
2010162166.tif 000006
【図５】
2010162166.tif 000007
【図６】
2010162166.tif 000008
【図７】
2010162166.tif 000009
【図８】
2010162166.tif 000010
【図９】
2010162166.tif 000011
【図１０】
2010162166.tif 000012
【図１１】
2010162166.tif 000013
【図１２】
2010162166.tif 000014
【図１３】
2010162166.tif 000015
【図１４】
2010162166.tif 000016